(57)【要約】【課題】筐体の壁部に液体がかかった場合でも、基板が濡れることを抑制できる画像形成装置を提供すること。【解決手段】プリンタ１に、本体ケーシング２と、用紙Ｐに画像を形成する画像形成部４と、画像形成部４の動作を制御する制御基板１４１と、本体ケーシング２内に浸入した液体を受ける液体受部１１６とを備える。本体ケーシング２に、第１トレイ部６４と第２トレイ部６５とを備える上壁４３と、画像形成部４に対して右方に配置され、制御基板１４１を支持する第１フレーム４５と、画像形成部４に対して左方に配置される第２フレーム５５とを備える。そして、液体受部１１６に、第１トレイ部６４と第２トレイ部６５との隙間Ｃ１を介して本体ケーシング２内に浸入する液体を受ける受壁１２５を備え、受壁１２５を、第１フレーム４５側から第２フレーム５５側に向かうにつれて、下方に傾斜させる。【選択図】図１０
2015096910.tif 000002
【特許請求の範囲】
【請求項１】
筐体と、
前記筐体内に配置され、記録媒体に画像を形成するように構成される画像形成部と、
前記画像形成部の動作を制御するように構成される基板と、
前記筐体内に浸入した液体を受けるように構成される受部材とを備え、
前記筐体は、
前記画像形成部に対して上方に配置され、前記筐体の上面の少なくとも一部を形成する壁部と、
前記画像形成部に対して、鉛直方向と直交する直交方向の一方に配置される第１フレームと、
前記画像形成部を挟むように、前記画像形成部に対して前記第１フレームと反対に配置される第２フレームとを備え、
前記基板は、前記第１フレームに支持され、
前記壁部は、
前記筐体の上面の一部を形成し、互いに隣接配置される第１部材と第２部材とを備え、
前記受部材は、
前記第１部材と前記第２部材との隣接部分に対して下方に配置され、前記第１部材と前記第２部材との隣接部分を介して前記筐体内に浸入する液体を受けるように構成される受壁を有し、
前記受壁は、前記第１フレーム側から前記第２フレーム側に向かうにつれて、下方に傾斜していることを特徴とする、画像形成装置。
【請求項２】
前記画像形成部により画像が形成された記録媒体を、前記筐体外に排出するように構成される排出部材と、
前記第１部材と前記第２部材とにより少なくとも一部が形成され、前記排出部材によって排出された記録媒体を支持する支持トレイと、を備え、
前記第１部材は、前記第２部材に対して、前記排出部材による記録媒体の排出方向の下流に配置され、
前記第１部材と前記第２部材との隣接部分は、前記直交方向に延びる隙間を画定することを特徴とする、請求項１に記載の画像形成装置。
【請求項３】
前記第１部材および前記第２部材のいずれか一方は、前記第１部材と前記第２部材との隣接部分を介して前記筐体内に浸入する液体を、前記受部材に向けて案内するように構成される案内部を有していることを特徴とする、請求項１または２に記載の画像形成装置。
【請求項４】
前記受壁は、
前記案内部に対して下方に間隔を空けて配置され、前記案内部と上下方向に向かい、
前記受部材は、
前記受壁の前記記録媒体の排出方向の両端部から連続して上方に向かって延び、互いに間隔を隔てて前記記録媒体の排出方向に向かい合う第１壁および第２壁を有していることを特徴とする、請求項３に記載の画像形成装置。
【請求項５】
前記受壁は、
前記第２壁から連続して、前記第１壁側に向かうにつれて下方に傾斜する第１部分と、
前記第１部分から連続して前記第１壁に向かって、前記記録媒体の排出方向に沿って延び、かつ、前記第１フレーム側から前記第２フレーム側に向かうにつれて、下方に傾斜する第２部分とを有していることを特徴とする、請求項４に記載の画像形成装置。
【請求項６】
前記受部材は、前記受壁の前記直交方向の他方端部から連続して、上方に向かって延びる第３壁を有し、
前記第１壁の前記直交方向の他方端部は、前記第３壁に対して前記直交方向の一方に間隔を空けて配置され、前記第３壁と前記直交方向に向かい合い、
前記第２壁の前記直交方向の他方端部は、前記第３壁に接続され、
前記第１壁の前記直交方向の他方端部と、前記第３壁と、それらの間に位置する前記受壁とは、前記受部材が受ける液体を前記受部材外に排出するように構成される液体排出口を画定していることを特徴とする、請求項４または５に記載の画像形成装置。
【請求項７】
前記受部材は、前記第１壁の前記直交方向の他方端部から連続して、前記第２壁から離れるように延びる第４壁を有していることを特徴とする、請求項６に記載の画像形成装置。
【請求項８】
前記筐体内の空気を前記筐体外に排気するように構成されるダクトを備え、
前記受部材は、前記ダクトと一体であることを特徴とする、請求項６または７に記載の画像形成装置。
【請求項９】
前記画像形成部は、
前記筐体内に配置され、記録媒体に現像剤像を形成するように構成されるプロセスユニットと、
前記プロセスユニットに対して互いに間隔を空けて配置され、前記現像剤像を前記記録媒体に定着させるように構成される定着ユニットとを備え、
前記ダクトは、
前記プロセスユニットと前記定着ユニットとの間に配置され、
前記液体排出口から排出された液体を通過させるように構成される通過口を有していることを特徴とする、請求項８に記載の画像形成装置。
【請求項１０】
前記壁部は、前記壁部の上端部に配置されるカバーを有し、
前記カバーは、前記カバーを上下方向に貫通する開口部を有し、
前記第１部材および前記第２部材のそれぞれは、上方から見て、前記開口部内に配置されていることを特徴とする、請求項１〜８のいずれか一項に記載の画像形成装置。
【請求項１１】
前記第１部材は、前記カバーにおける前記開口部の周縁と隣接しており、
前記カバーは、前記第１部材と前記開口部の周縁との隣接部分に浸入する液体を、前記第１部材と前記開口部の周縁との隣接部分から排出するために案内するように構成されるカバー案内部を有していることを特徴とする、請求項１０に記載の画像形成装置。
【請求項１２】
前記第１部材と前記カバーにおける前記開口部の周縁とは、前記直交方向に延びる隙間を画定しており、
前記カバー案内部は、
前記直交方向の一方に配置され、液体を前記直交方向の一方に向かって案内する一方案内部と、
前記直交方向の他方に配置され、液体を前記直交方向の他方に向かって案内する他方案内部とを有していることを特徴とする、請求項１１に記載の画像形成装置。
【請求項１３】
前記壁部は、前記壁部の上端部に配置され、上下方向に貫通する開口部を有するカバーを有し、
前記第１部材および前記第２部材のそれぞれは、上方から見て、前記開口部内に配置され、
前記第１部材は、前記カバーにおける前記開口部の周縁と隣接しており、
前記カバーは、前記第１部材と前記開口部の周縁との隣接部分に浸入する液体を、前記第１部材と前記開口部の周縁との隣接部分から排出するように案内するように構成されるカバー案内部を有し、
前記カバー案内部は、
前記直交方向の一方に配置され、前記第１部材と前記開口部の周縁との隣接部分に浸入する液体を、前記第１部材上に向けて案内するように構成される一方案内部と、
前記直交方向の他方に配置され、前記第１部材と前記開口部の周縁との隣接部分に浸入する液体を、前記通過口に向けて案内するように構成されている他方案内部とを有していることを特徴とする、請求項９に記載の画像形成装置。
【請求項１４】
前記カバー案内部は、前記直交方向において前記一方案内部と前記他方案内部との間に配置され、下方に向かって凹む凹部を有していることを特徴とする、請求項１２または１３に記載の画像形成装置。
【発明の詳細な説明】
【技術分野】
【０００１】
本発明は、電子写真方式が採用される画像形成装置に関する。
【背景技術】
【０００２】
電子写真方式の画像形成装置として、筐体と、筐体内に配置され、記録紙にトナー像を形成するプロセスカートリッジと、記録紙上に形成されたトナー像を定着させる定着ユニットとを備えるレーザプリンタが知られている（たとえば、特許文献１参照。）。
【先行技術文献】
【特許文献】
【０００３】
【特許文献１】特開２００６−５３５０８号公報
【発明の概要】
【発明が解決しようとする課題】
【０００４】
しかるに、特許文献１に記載のレーザプリンタは、筐体内において、プロセスカートリッジや定着ユニットなどの動作を制御する基板を備えている。このような基板は、液体により濡れると、電気的に短絡してしまうおそれがある。
【０００５】
特許文献１に記載のレーザプリンタでは、ユーザが誤ってレーザプリンタの上方から液体をこぼしてしまった場合には、筐体の継ぎ目から液体が筐体内に浸入し、基板が液体により、濡れてしまう場合がある。
【０００６】
そこで、本発明の目的は、筐体の壁部に液体がかかった場合でも、基板が濡れることを抑制できる画像形成装置を提供することにある。
【課題を解決するための手段】
【０００７】
（１）上記した目的を達成するために、本発明の画像形成装置は、筐体と、筐体内に配置され、記録媒体に画像を形成するように構成される画像形成部と、画像形成部の動作を制御するように構成される基板と、筐体内に浸入した液体を受けるように構成される受部材とを備えている。
【０００８】
筐体は、画像形成部に対して上方に配置され、筐体の上面の少なくとも一部を形成する壁部と、画像形成部に対して、鉛直方向と直交する直交方向の一方に配置される第１フレームと、画像形成部を挟むように、画像形成部に対して第１フレームと反対に配置される第２フレームとを備えている。基板は、第１フレームに支持されている。
【０００９】
壁部は、筐体の上面の一部を形成し、互いに隣接配置される第１部材と第２部材とを備えている。受部材は、第１部材と第２部材との隣接部分に対して下方に配置され、第１部材と第２部材との隣接部分を介して筐体内に浸入する液体を受けるように構成される受壁を有している。
【００１０】
受壁は、第１フレーム側から第２フレーム側に向かうにつれて、下方に傾斜している。
【００１１】
このような構成によれば、筐体内に浸入した液体を受ける受部材が、第１部材と第２部材との隣接部分に対して下方に配置される受壁を有しているので、第１部材と第２部材との隣接部分を介して筐体内に浸入する液体は、受部材の受壁に受けられる。
【００１２】
そして、受壁に受けられた液体は、受壁が第１フレーム側から第２フレーム側に向かうにつれて下方に傾斜しているので、基板を支持する第１フレーム側から第２フレーム側に向かって、つまり基板から離れるように、受部材に案内される。
【００１３】
そのため、筐体の上面の少なくとも一部を形成する壁部に液体がかかった場合でも、基板が濡れることを抑制できる。
（２）画像形成装置は、画像形成部により画像が形成された記録媒体を、筐体外に排出するように構成される排出部材と、第１部材と第２部材とにより少なくとも一部が形成され、排出部材によって排出された記録媒体を支持する支持トレイと、を備えていてもよい。
【００１４】
この場合、第１部材は、第２部材に対して、排出部材による記録媒体の排出方向の下流に配置され、第１部材と第２部材との隣接部分は、直交方向に延びる隙間を画定する。
【００１５】
このような構成によれば、支持トレイの少なくとも一部が、筐体の上面の一部を形成する第１部材と第２部材とにより形成されるので、支持トレイは筐体の上面に配置される。
【００１６】
そのため、排出部材から排出され、支持トレイに支持される記録媒体に対して容易にアクセスすることができる。
（３）第１部材および第２部材のいずれか一方は、第１部材と第２部材との隣接部分を介して筐体内に浸入する液体を、受部材に向けて案内するように構成される案内部を有していてもよい。
【００１７】
このような構成によれば、案内部は、第１部材と第２部材との隣接部分を介して筐体内に浸入する液体を受部材に向けて案内する。そのため、第１部材と第２部材との隣接部分を介して筐体内に浸入する液体を、受部材に確実に受けさせることができる。
（４）受壁は、案内部に対して下方に間隔を空けて配置され、案内部と上下方向に向かい合ってもよい。この場合、受部材は、受壁の記録媒体の排出方向の両端部から連続して上方に向かって延び、互いに間隔を隔てて記録媒体の排出方向に向かい合う第１壁および第２壁を有している。
【００１８】
このような構成によれば、受壁が案内部に対して下方に間隔を空けて配置され、案内部と上下方向に向かい合っているので、受壁は、案内部から落下する液体を確実に受けることができる。そして、受部材は、受壁、第１壁および第２壁を有しており、直交方向から見て案内部に向かって開放される凹形状を有しているので、受壁に受けられた液体を、第１フレーム側から第２フレーム側に向かって確実に案内できる。
（５）受壁は、第２壁から連続して、第１壁側に向かうにつれて下方に傾斜する第１部分と、第１部分から連続して第１壁に向かって、記録媒体の排出方向に沿って延び、かつ、第１フレーム側から第２フレーム側に向かうにつれて、下方に傾斜する第２部分とを有していてもよい。
【００１９】
このような構成によれば、受壁が、第１壁側に向かうにつれて下方に傾斜する第１部分を有しているので、受壁に受けられた液体は、第１部分の傾斜により、第１壁側の第２部分に向かって流動する。そして、液体は、第２部分および第１壁に沿って、第２フレーム側に向かって流動する。
【００２０】
そのため、受部材に案内される液体を、第２フレーム側に、安定して案内することができる。
（６）受部材は、受壁の直交方向の他方端部から連続して、上方に向かって延びる第３壁を有していてもよい。この場合、第１壁の直交方向の他方端部は、第３壁に対して直交方向の一方に間隔を空けて配置され、第３壁と直交方向に向かい合い、第２壁の直交方向の他方端部は、第３壁に接続される。そして、第１壁の直交方向の他方端部と、第３壁と、それらの間に位置する受壁とは、受部材が受ける液体を受部材外に排出するように構成される液体排出口を画定する。
【００２１】
このような構成によれば、第１壁の直交方向の他方端部と、第３壁と、それらの間に位置する受壁とが液体排出口を画定しているので、液体排出口は、受部材において直交方向の他方端部、すなわち、基板から最も離れて配置されている。
【００２２】
そのため、受部材に案内される液体は、受部材において最も基板から離れた位置まで案内された後、液体排出口を介して受部材から排出される。その結果、受部材から排出される液体が、基板にかかることを確実に抑制することができる。
（７）受部材は、第１壁の直交方向の他方端部から連続して、第２壁から離れるように延びる第４壁を有していてもよい。
【００２３】
このような構成によれば、第４壁が、第１壁の直交方向の他方端部から連続して、第２壁から離れるように延びている。つまり、第４壁は、液体排出口の直交方向の一方の周縁から、液体の排出方向に延びている。
【００２４】
そのため、第４壁は、液体排出口から排出される液体が、直交方向の一方、すなわち基板側に向かうことを抑制できる。その結果、受部材から排出される液体が、基板にかかることをより一層確実に抑制できる。
（８）筐体内の空気を筐体外に排気するように構成されるダクトを備えていてもよい。この場合、受部材は、ダクトと一体である。
【００２５】
このような構成によれば、画像形成装置がダクトを備えているので、ダクトを介して、筐体内の空気を筐体外に排気することができる。そのため、画像形成装置を効率的に放熱できる。
【００２６】
また、ダクトと受部材とが一体であるので、ダクトと受部材とが別部材である場合と比較して、部品点数の低減を図ることができる。
（９）画像形成部は、筐体内に配置され、記録媒体に現像剤像を形成するように構成されるプロセスユニットと、プロセスユニットに対して互いに間隔を空けて配置され、現像剤像を記録媒体に定着させるように構成される定着ユニットとを備えていてもよい。この場合、ダクトは、プロセスユニットと定着ユニットとの間に配置され、液体排出口から排出された液体を通過させるように構成される通過口を有している。
【００２７】
しかるに、プロセスユニットおよび定着ユニットのそれぞれは、画像形成動作時において発熱する場合がある。ここで、ダクトが、プロセスユニットと定着ユニットとの間に配置されているので、プロセスユニットおよび定着ユニットのそれぞれを効率的に冷却することができる。
【００２８】
また、ダクトは、液体排出口から排出された液体を通過させる通過口を有しているので、液体排出口から排出された液体は、プロセスユニットと定着ユニットとの間を、ダクトの通過口を介して流下する。
【００２９】
そのため、液体排出口から排出された液体が、プロセスユニットおよび定着ユニットのそれぞれにかかることを抑制でき、プロセスユニットおよび定着ユニットが故障することを抑制できる。
（１０）壁部は、壁部の上端部に配置されるカバーを有していてもよい。この場合、カバーは、カバーを上下方向に貫通する開口部を有し、第１部材および第２部材のそれぞれは、上方から見て、開口部内に配置されている。
【００３０】
このような構成によれば、第１部材および第２部材のそれぞれが、開口部を介して、上方から露出されているので、画像形成装置の上方から液体がかかった場合には、カバーの開口部を介して、第１部材および第２部材に液体がかかる。すると、液体は、第１部材と第２部材との隣接部分を介して受部材に受けられ、基板から離れるように案内される。
【００３１】
つまり、画像形成装置に液体がかかったときに、筐体内に浸入する液体を受部材に確実に受けさせることができる。
（１１）第１部材は、カバーにおける開口部の周縁と隣接していてもよい。カバーは、第１部材と開口部の周縁との隣接部分に浸入する液体を、第１部材と開口部の周縁との隣接部分から排出するために案内するように構成されるカバー案内部を有していてもよい。
【００３２】
このような構成によれば、カバー案内部が、第１部材と開口部の周縁との隣接部分に浸入する液体を、第１部材と開口部の周縁との隣接部分から排出するように案内する。そのため、第１部材と開口部の周縁との隣接部分から、液体が筐体内に浸入することを抑制できる。
（１２）第１部材とカバーにおける開口部の周縁とは、直交方向に延びる隙間を画定していてもよい。カバー案内部は、直交方向の一方に配置され、液体を直交方向の一方に向かって案内する一方案内部と、直交方向の他方に配置され、液体を直交方向の他方に向かって案内する他方案内部とを有していてもよい。
【００３３】
このような構成によれば、一方案内部が、第１部材と開口部の周縁との隣接部分に浸入する液体を直交方向の一方に向かって案内し、他方案内部が、第１部材と開口部の周縁との隣接部分に浸入する液体を直交方向の他方に向かって案内する。
【００３４】
そのため、カバー案内部が直交方向のいずれか一方向にのみ、液体を案内する構成と比較して、第１部材と開口部の周縁との隣接部分に浸入する液体を効率よく排出することができる。
（１３）壁部は、壁部の上端部に配置され、上下方向に貫通する開口部を有するカバーを有し、第１部材および第２部材のそれぞれは、上方から見て、開口部内に配置されていてもよい。
【００３５】
この場合、第１部材は、カバーにおける開口部の周縁と隣接しており、カバーは、第１部材と開口部の周縁との隣接部分に浸入する液体を、第１部材と開口部の周縁との隣接部分から排出するように案内するように構成されるカバー案内部を有している。また、カバー案内部は、直交方向の一方に配置され、第１部材と開口部の周縁との隣接部分に浸入する液体を、第１部材上に向けて案内するように構成される一方案内部と、直交方向の他方に配置され、第１部材と開口部の周縁との隣接部分に浸入する液体を、通過口に向けて案内するように構成されている他方案内部とを有している。
【００３６】
このような構成によれば、基板に対して相対的に近い一方案内部は、第１部材と開口部の周縁との隣接部分に浸入する液体を第１部材上に向けて案内する。そして、第１部材上に案内された液体は、第１部材と第２部材との隣接部分を介して筐体内に浸入しても、受部材により基板から離れるように案内された後、液体排出口からダクトの通過口に排出される。
【００３７】
一方、基板に対して相対的に遠い他方案内部は、第１部材と開口部の周縁との隣接部分に浸入する液体をダクトの通過口に向けて案内する。
【００３８】
つまり、一方案内部および他方案内部のそれぞれに案内される液体は、基板から離れた位置で、ダクトの通過口に排出される。そのため、基板が、第１部材と開口部の周縁との隣接部分に浸入する液体により濡れることを確実に抑制できる。
（１４）カバー案内部は、直交方向において一方案内部と他方案内部との間に配置され、下方に向かって凹む凹部を有していてもよい。
【００３９】
このような構成によれば、カバー案内部が凹部を有しているので、例え、第１部材と開口部の周縁との隣接部分に浸入する液体の量が増加しても、液体は凹部に貯留される。そのため、第１部材と開口部の周縁との隣接部分に浸入する液体が、その隣接部分から、筐体内に浸入することを抑制することができる。
【発明の効果】
【００４０】
本発明の画像形成装置によれば、筐体の壁部に液体がかかった場合でも、基板が濡れることを抑制できる。
【図面の簡単な説明】
【００４１】
【図１】図１は、本発明の画像形成装置の一実施形態としてのプリンタを示す中央断面図を示す。
【図２】図２は、図１に示すプリンタを左上から見た斜視図である。
【図３】図３は、図２に示す上壁および液受ユニットを右上から見た分解斜視図である。
【図４】図４Ａは、図３に示すトップカバーを右上から見た斜視図である。図４Ｂは、図４Ａに示すトップカバーおよび液受ユニットを左上から見た斜視図である。
【図５】図５Ａは、図３に示す第１トレイ部を右上から見た斜視図である。図５Ｂは、図５Ａに示す第１トレイ部を左上から見た斜視図である。図５Ｃは、図５Ｂに示す第１トレイ部の平面図である。
【図６】図６Ａは、図３に示す第２トレイ部を右上から見た斜視図である。図６Ｂは、図６Ａに示す第２トレイ部を左上から見た斜視図である。
【図７】図７Ａは、図６Ｂに示す第２トレイ部を左前から見た斜視図である。図７Ｂは、図４Ｂに示すカバー案内部の背断面図である。
【図８】図８Ａは、図３に示す液受ユニットを右上から見た斜視図である。図８Ｂは、図８Ａに示す液受ユニットを左上から見た斜視図である。
【図９】図９は、図８Ａに示す液受ユニットを後上方から見た斜視図である。
【図１０】図１０は、図１に示すプリンタの背断面図である。
【発明を実施するための形態】
【００４２】
１．プリンタの全体構成
画像形成装置の一例としてのプリンタ１は、図１に示すように、電子写真方式のモノクロプリンタである。プリンタ１は、筐体の一例としての本体ケーシング２と、給紙部３と、画像形成部４と、排紙部５と、搬送ガイド部６を備えている。
【００４３】
本体ケーシング２は、略ボックス形状を有しており、給紙部３、画像形成部４、排紙部５および搬送ガイド部６を収容している。
【００４４】
なお、以下の説明において、方向について言及する場合には、プリンタ１を水平に載置した状態を基準として、図１における紙面右方を前方とし、図１における紙面左方を後方とする。また、プリンタ１を前方から見たときを左右の基準とし、図１の紙面手前が左方であり、紙面奥が右方である。また、図１の紙面上方が上方であり、紙面下方が下方である。すなわち、前後方向および左右方向のそれぞれが水平方向であり、上下方向が鉛直方向である。なお、具体的には、各図において方向を矢印にて示す。
【００４５】
また、左右方向が直交方向の一例であり、右方が直交方向の一方、左方が直交方向の他方である。また、後方から前方に向かう方向が排出方向Ｘの一例である。つまり、直交方向は、上下方向および排出方向Ｘの両方向と直交する方向である。
【００４６】
本体ケーシング２は、カートリッジ開口９と、フロントカバー１０と、支持トレイの一例としての排紙トレイ１３とを有している。
【００４７】
カートリッジ開口９は、本体ケーシング２の前端部に配置されており、本体ケーシング２の前壁を前後方向に貫通している。フロントカバー１０は、その下端部を支点として、本体ケーシング２の前壁に揺動可能に支持されている。フロントカバー１０は、カートリッジ開口９を開放または閉鎖する。
【００４８】
排紙トレイ１３は、詳しくは後述するが、本体ケーシング２の上壁４３の後方部分に配置されている。排紙トレイ１３は、記録媒体の一例としての用紙Ｐが載置されるように、本体ケーシング２の上面から下方へ凹んでいる。
【００４９】
給紙部３は、用紙Ｐを画像形成部４に供給するように構成されており、本体ケーシング２内の底部に配置されている。
【００５０】
給紙部３は、給紙トレイ１２を備えている。給紙トレイ１２は、本体ケーシング２に対して装着または離脱するように構成されている。給紙トレイ１２は、上方に向かって開放される略ボックス形状を有しており、用紙Ｐを複数枚収容している。
【００５１】
画像形成部４は、用紙Ｐに画像を形成するように構成されている。画像形成部４は、本体ケーシング２内において給紙部３の上方に配置されている。画像形成部４は、プロセスユニットの一例としてのプロセスカートリッジ１５と、スキャナユニット１６と、定着ユニット１７とを備えている。
【００５２】
プロセスカートリッジ１５は、用紙Ｐにトナー像を形成するように構成され、カートリッジ開口９を介して、本体ケーシング２に対して装着または離脱するように構成されている。プロセスカートリッジ１５は、本体ケーシング２に装着された状態において、本体ケーシング２の上下方向略中央に配置されている。
【００５３】
プロセスカートリッジ１５は、ドラムカートリッジ１８と、現像カートリッジ１９とを備えている。
【００５４】
ドラムカートリッジ１８は、感光ドラム２０と、転写ローラ２１と、スコロトロン型帯電器２２とを備えている。感光ドラム２０は、ドラムカートリッジ１８の後端部に配置されている。転写ローラ２１は、感光ドラム２０の下方に配置されている。転写ローラ２１の上端部は、感光ドラム２０の下端部と接触している。スコロトロン型帯電器２２は、感光ドラム２０の後上方において、感光ドラム２０に対して僅かな間隔を空けて配置されている。
【００５５】
現像カートリッジ１９は、ドラムカートリッジ１８に装着または離脱するように構成されており、ドラムカートリッジ１８に装着された状態で、感光ドラム２０の前上方に配置されている。
【００５６】
現像カートリッジ１９は、現像ローラ２６と、供給ローラ２７と、層厚規制ブレード２８とを備えており、かつ、トナーを収容している。
【００５７】
現像ローラ２６は、現像カートリッジ１９の後端部に配置されており、現像ローラ２６の上方部分および後方部分は、現像カートリッジ１９から露出している。そして、現像ローラ２６の後端部は、感光ドラム２０の前端部に接触している。
【００５８】
供給ローラ２７は、現像ローラ２６に対して前下方に配置されている。また、供給ローラ２７の後上端部は、現像ローラ２６の前下端部に圧接している。層厚規制ブレード２８は、現像ローラ２６の前上方に配置されている。層厚規制ブレード２８は、上下左右方向に延びる板状を有しており、層厚規制ブレード２８の下端部は、現像ローラ２６の前上端部に接触している。
【００５９】
スキャナユニット１６は、本体ケーシング２内において、プロセスカートリッジ１５の上方に配置されている。スキャナユニット１６は、図１に実線で示すように、感光ドラム２０に向けて、画像データに基づくレーザービームＬを出射し、感光ドラム２０の周面を露光する。
【００６０】
定着ユニット１７は、本体ケーシング２内において、プロセスカートリッジ１５の後方に間隔を空けて配置されている。
【００６１】
定着ユニット１７は、加熱ローラ３０と、加圧ローラ３１とを備えている。加熱ローラ３０は、加圧ローラ３１に対して前上方に配置されており、加熱ローラ３０の後下端部は、加圧ローラ３１の前上端部に圧接している。
【００６２】
排紙部５は、定着ユニット１７に対して後上方に配置されている。排紙部５は、排出部材の一例としての１対の排紙ローラ３２とを備えている。
【００６３】
１対の排紙ローラ３２は、排紙トレイ１３の後方に配置されている。１対の排紙ローラ３２のそれぞれは、左右方向に延びる略円柱形状であり、後上方と前下方とを結ぶ方向において、互いに接触している。また、１対の排紙ローラ３２のそれぞれは、正回転と逆回転とに切り替え可能に構成されている。そして、１対の排紙ローラ３２は、正回転することにより用紙Ｐを排紙トレイ１３に搬送し、逆回転することにより用紙Ｐを、後述する第２搬送ガイド３５へ搬送する。
【００６４】
搬送ガイド部６は、用紙Ｐの搬送を案内するように構成されており、第１搬送ガイド３４と、第２搬送ガイド３５とを備えている。
【００６５】
第１搬送ガイド３４は、用紙Ｐの一方面に画像を形成するときに、用紙Ｐの搬送をガイドするように構成されている。詳しくは、第１搬送ガイド３４は、用紙Ｐを、給紙トレイ１２から、感光ドラム２０と転写ローラ２１との間、および、加熱ローラ３０と加圧ローラ３１との間を経て、排紙ローラ３２まで到達するようにガイドする。このような第１搬送ガイド３４は、側面視略Ｓ字状の搬送パスＰ１を画定している。
【００６６】
第２搬送ガイド３５は、一方面に画像が有する用紙Ｐの他方面に画像を形成するときに、用紙Ｐの搬送をガイドするように構成されている。詳しくは、第２搬送ガイド３５は、用紙Ｐを、排紙ローラ３２から感光ドラム２０の前方まで到達するようにガイドする。このような第２搬送ガイド３５は、上方に向かって開放される側面視略Ｃ字状の再搬送パスＰ２を画定している。
【００６７】
第２搬送ガイド３５の後端部は、排紙ローラ３２の後方において、第１搬送ガイド３４の上端部に接続されており、第２搬送ガイド３５の前端部は、感光ドラム２０および転写ローラ２１の前方において、第１搬送ガイド３４の途中部に接続されている。
【００６８】
そして、プリンタ１において、図示しない制御部の制御により、画像形成動作が開始すると、スコロトロン型帯電器２２が、感光ドラム２０の表面を一様に帯電する。その後、スキャナユニット１６が、感光ドラム２０の表面を露光する。これにより、画像データに基づく静電潜像が、感光ドラム２０の表面に形成される。
【００６９】
また、供給ローラ２７は、トナーを現像ローラ２６に供給する。このとき、トナーは、現像ローラ２６と供給ローラ２７との間で正極性に摩擦帯電され、現像ローラ２６上に担持される。層厚規制ブレード２８は、現像ローラ２６上に担持されたトナーを一定厚さに規制する。そして、現像ローラ２６は、一定厚みとして担持するトナーを、感光ドラム２０の表面上の静電潜像に供給する。これにより、トナー像が、感光ドラム２０の表面上に担持される。
【００７０】
用紙Ｐは、給紙トレイ１２から、第１搬送ガイド３４にガイドされて、各種ローラの回転により、所定のタイミングで１枚ずつ、感光ドラム２０と転写ローラ２１との間に給紙される。感光ドラム２０上のトナー像は、感光ドラム２０と転写ローラ２１との間を通過するときに、用紙Ｐの一方面に転写される。
【００７１】
その後、用紙Ｐは、第１搬送ガイド３４にガイドされて、定着ユニット１７を経て、排紙ローラ３２に向かうように搬送される。このとき、用紙Ｐは、加熱ローラ３０と加圧ローラ３１との間を通過するときに加熱および加圧される。これにより、用紙Ｐ上のトナー像は、用紙Ｐに熱定着される。その後、用紙Ｐは、排紙ローラ３２の正回転により、後方から前方に向かう排出方向Ｘに沿って、排紙トレイ１３に排出される。これによって、本体ケーシング２から排出された用紙Ｐは、排紙トレイ１３に支持される。
【００７２】
また、用紙Ｐの他方面、すなわち用紙Ｐの両面に画像を形成する場合、上記のように、用紙Ｐの一方面に画像が形成された後、排紙ローラ３２が反転して、用紙Ｐを第２搬送ガイド３５に搬送する。すると、用紙Ｐは、第２搬送ガイド３５にガイドされて、感光ドラム２０および転写ローラ２１の前方において、再度、第１搬送ガイド３４の途中部に到達する。
【００７３】
その後、用紙Ｐは、感光ドラム２０と転写ローラ２１との間、加熱ローラ３０と加圧ローラ３１との間を順次通過する。これによって、用紙Ｐの他方面に画像が形成される。次いで、排紙ローラ３２は、正回転により、用紙Ｐを排紙トレイ１３に排出する。
２．本体ケーシングの詳細
本体ケーシング２は、図１および図２に示すように、右側壁４０と、左側壁４４と、後壁４２と、壁部の一例としての上壁４３とを備えている。
【００７４】
右側壁４０は、図１に示すように、本体ケーシング２の右端部に配置されており、画像形成部４に対して右方に配置されている。右側壁４０は、前後方向に延びる側面視略矩形状を有している。
【００７５】
右側壁４０は、図１０に示すように、第１フレーム４５と、第１サイドカバー４６とを備えている。
【００７６】
第１フレーム４５は、右側壁４０の左方部分である。第１フレーム４５は、図３および図１０に示すように、公知の樹脂材料からなり、右方に向かって開放される略ボックス形状を有している。
【００７７】
詳しくは、第１フレーム４５は、プレート４７と、周側壁４８とを一体に有している。プレート４７は、前後方向に延びる側面視略矩形の板状を有している。周側壁４８は、図３に示すように、プレート４７の周縁から右方に向かって突出している。すなわち、第１フレーム４５は、上下方向および前後方向に切断したときの断面形状が凹形状である。
【００７８】
また、第１フレーム４５は、図１０に示すように、貫通口４９を有している。貫通口４９は、後述するファン１４２に対応しており、プレート４７の上方部分における前後方向略中央に配置されている。貫通口４９は、プレート４７を左右方向に貫通している。
【００７９】
第１サイドカバー４６は、右側壁４０の右方部分である。第１サイドカバー４６は、第１フレーム４５を右方から被覆している。第１サイドカバー４６は、公知の樹脂材料からなり、側面視において、第１フレーム４５と略同一形状およびサイズを有する板状である。これによって、第１フレーム４５および第１サイドカバー４６は、内部に収容空間Ａ１を画定する第１エンクロージャー５０を構成する。
【００８０】
また、第１サイドカバー４６は、通気口５１を有している。通気口５１は、貫通口４９と左右方向に間隔を空けて向かい合うように、第１サイドカバー４６の上方部分における前後方向略中央に配置されている。通気口５１は、複数のスリット５２から構成されている。各スリット５２は、前後方向に延び、第１サイドカバー４６を左右方向に貫通している。複数のスリット５２は、互いに等間隔を隔てて上下方向に並列配置されている。
【００８１】
左側壁４４は、本体ケーシング２の左端部に配置されており、右側壁４０と画像形成部４を挟むように、画像形成部４に対して左方に配置されている。左側壁４４は、図２に示すように、前後方向に延びる側面視略矩形状を有している。
【００８２】
左側壁４４は、図３および図１０に示すように、第２フレーム５５と、第２サイドカバー５６とを備えている。
【００８３】
第２フレーム５５は、左側壁４４の右方部分である。第２フレーム５５は、公知の樹脂材料からなり、左方に向かって開放される略ボックス形状を有している。
【００８４】
詳しくは、第２フレーム５５は、プレート５７と、周側壁５８とを一体に有している。プレート５７は、前後方向に延びる側面視略矩形の板状を有している。周側壁５８は、図３に示すように、プレート５７の周縁から左方に向かって突出している。すなわち、第２フレーム５５は、上下方向および前後方向に切断したときの断面形状凹形状である。
【００８５】
第２サイドカバー５６は、図１０に示すように、左側壁４４の左方部分である。第２サイドカバー５６は、第２フレーム５５を右方から被覆している。第２サイドカバー５６は、公知の樹脂材料からなり、側面視において、第２フレーム５５と略同一形状およびサイズを有する板状である。これによって、第２フレーム５５および第２サイドカバー５６は、内部に収容空間Ａ２を画定する第２エンクロージャー６０を構成する。
【００８６】
後壁４２は、図１に示すように、本体ケーシング２の後端部に配置されており、画像形成部４に対して後方に配置されている。そして、後壁４２は、第１フレーム４５の後端部と、第２フレーム５５の後端部とを左右方向に連結している。
【００８７】
なお、図２に示すように、第１フレーム４５の前端部の上方部分と、第２フレーム５５の前端部の上方部分との間には、フロントカバー１０が配置されている。
【００８８】
上壁４３は、図１および図２に示すように、本体ケーシング２の上端部に配置されており、画像形成部４に対して上方に配置されている。つまり、上壁４３は、本体ケーシング２の上面を形成する。
【００８９】
上壁４３は、図３に示すように、カバーの一例としてのトップカバー６３と、第１部材の一例としての第１トレイ部６４と、第２部材の一例としての第２トレイ部６５とを備えている。
【００９０】
トップカバー６３は、図２に示すように、上壁４３の上端部に配置されている。トップカバー６３は、図４Ａおよび図４Ｂに示すように、平面視略矩形の板状を有しており、開口部６６を有している。開口部６６は、平面視において、トップカバー６３の略中央に配置されており、左右方向に延びる略矩形状を有している。開口部６６は、トップカバー６３を上下方向に貫通している。
【００９１】
また、トップカバー６３は、開口部６６内において、突出壁７１と、カバー案内部６７と、規制突起６８とを一体に有している。
【００９２】
突出壁７１は、トップカバー６３における開口部６６の周縁から下方に向かって突出しており、上下方向に延びる角筒形状を有している。詳しくは、突出壁７１は、開口部６６の前方の周縁から下方に向かって突出する前突出壁７１Ａと、開口部６６の左方の周縁から下方に向かって突出する左突出壁７１Ｂと、開口部６６の右方の周縁から下方に向かって突出する右突出壁７１Ｃと、開口部６６の後方の周縁から下方に向かって突出する後突出壁７１Ｄとを一体に有している。
【００９３】
また、右突出壁７１Ｃは、切欠溝７２を有している。切欠溝７２は、右突出壁７１Ｃの前端部に配置されている。切欠溝７２は、前上方に向かう頂部を有する側面視略Ｖ字状を有しており、突出壁７１の下端縁から上方に向かって凹んでいる。
【００９４】
カバー案内部６７は、前突出壁７１Ａの後方に隣接配置されている。カバー案内部６７は、案内部本体７３と、鍔部７４とを有している。
【００９５】
案内部本体７３は、前突出壁７１Ａおよび左突出壁７１Ｂに沿って延びる、平面視略Ｌ字の板状を有している。案内部本体７３は、一方案内部の一例としての右案内部７５と、凹部の一例としての中間部７７と、他方案内部の一例としての左案内部７６とを一体に有している。
【００９６】
右案内部７５は、案内部本体７３の右方部分である。右案内部７５は、図４Ｂおよび図７Ｂに示すように、傾斜部８１と、突部８２とを有している。傾斜部８１は、図４Ｂに示すように、左右方向に延びる平面視略矩形を有しており、前突出壁７１Ａの下端部における右方部分から、後方に向かって突出している。また、傾斜部８１は、図７Ｂに示すように、背面視において左上方と右下方とを結ぶ方向に延びている。つまり、傾斜部８１は、左右方向外方端部である右端部のほうが、左右方向内方端部である左端部よりも下方に下がるように傾斜している。
【００９７】
また、傾斜部８１の右端部は、切欠溝７２を介して、右突出壁７１Ｃよりも右方に突出している。
【００９８】
突部８２は、背面視略矩形状を有しており、傾斜部８１の右端縁から下方に向かって突出している。突部８２は、傾斜部８１の右端部の前後方向の全体にわたって延びている。
【００９９】
中間部７７は、図４Ｂに示すように、案内部本体７３の左右方向略中央部分であって、右案内部７５と左案内部７６との左右方向の間に配置されている。中間部７７は、平面視において左右方向に延びる平面視略矩形を有しており、背面視において上方に向かって開放される背面視略Ｕ字状を有している。つまり、中間部７７は、下方に向かって凹んでいる。また、中間部７７は、前突出壁７１Ａの下端部における左右方向略中央から、後方に向かって突出している。中間部７７の前後方向の寸法は、傾斜部８１の前後方向の寸法の略１／２である。そして、中間部７７の右端部は、傾斜部８１の左端部の前方部分に接続されている。
【０１００】
左案内部７６は、図４Ａに示すように、案内部本体７３の左方部分であって、中間部７７の左方に隣接配置されている。左案内部７６は、平面視略Ｌ字状を有しており、中間部７７の左端部から連続して、左方に向かって延びた後、屈曲して後方に向かって延びている。
【０１０１】
詳しくは、左案内部７６は、第１傾斜部７８と、第２傾斜部７９とを有している。
【０１０２】
第１傾斜部７８は、平面視において左右方向に延びる略矩形状を有しており、前突出壁７１Ａの下端部における左方部分から、後方に向かって突出している。また、第１傾斜部７８は、図７Ｂに示すように、背面視において右上方および左下方を結ぶ方向に延びている。つまり、第１傾斜部７８は、左右方向外方端部である左端部のほうが、左右方向内方端部である右端部よりも下方に下がるように傾斜している。
【０１０３】
また、第１傾斜部７８の前後方向の寸法は、傾斜部８１の前後方向の寸法と略同じである。そして、第１傾斜部７８の右端部における前方部分は、中間部７７の左端部に接続され、第１傾斜部７８の左端部は、左突出壁７１Ｂの前端部に接続されている。
【０１０４】
第２傾斜部７９は、平面視において前後方向に延びる略矩形状を有しており、側面視において前上方および後下方を結ぶ方向に延びている。そして、第２傾斜部７９の前端部は、第１傾斜部７８の後端縁における左端部に接続されている。また、第２傾斜部７９の左端部は、左突出壁７１Ｂに接続されている。
【０１０５】
鍔部７４は、カバー案内部６７の内方端部から上方に向かって突出している。具体的には、鍔部７４は、傾斜部８１の後端部、傾斜部８１の左端部の後方部分、中間部７７の後端部、第１傾斜部７８の右端部の後方部分、第１傾斜部７８の後端部、および、第２傾斜部７９の右端部のそれぞれから、上方に向かって突出している。
【０１０６】
規制突起６８は、前突出壁７１Ａの後面において、案内部本体７３よりも上方に配置されている。規制突起６８は、左右方向に互いに間隔を隔てて複数、具体的には４つ並列配置されている。規制突起６８は、側面視略矩形の板状を有しており、前突出壁７１Ａの後面から後方に向かって突出している。また、規制突起６８の下端部は、案内部本体７３の上面に接続されている。規制突起６８の上下方向の寸法は、鍔部７４の上下方向の寸法よりも大きい。
【０１０７】
そして、トップカバー６３は、図２および図３に示すように、右側壁４０、左側壁４４および後壁４２の上面を上方から被覆するように、本体ケーシング２の上端部に配置されている。つまり、本体ケーシング２の上面の一部を形成する。
【０１０８】
第１トレイ部６４は、図２に示すように、上方から見て、開口部６６内における前方部分に配置されている。
【０１０９】
第１トレイ部６４は、図５Ａ〜図５Ｃに示すように、第１トレイ本体８５と、受入部８６と、第１トレイ案内部８７と、右係合部８８と、左係合部８９とを一体に有している。
【０１１０】
第１トレイ本体８５は、図５Ｃに示すように、平面視において左右方向に延びる略矩形状の板状を有している。また、第１トレイ本体８５は、図１に示すように、側面視において前上方および後下方を結ぶ方向に延びている。
【０１１１】
受入部８６は、図５Ａおよび図５Ｂに示すように、第１トレイ本体８５の後端部に対して下方に隣接配置されている。受入部８６は、左右方向に互いに間隔を隔てて複数、具体的には、４つ配置されている。受入部８６は、上方に向かって開放される背面視Ｕ字状の板状を有している。そして、受入部８６の遊端部のそれぞれは、第１トレイ本体８５の後端部に接続されている。
【０１１２】
第１トレイ案内部８７は、図５Ａ〜図５Ｃに示すように、第１トレイ本体８５に対して右方に隣接配置されている。第１トレイ案内部８７は、側板９０と、底板９１と、囲板９２と、傾斜板９３とを一体に有している。
【０１１３】
側板９０は、図５Ａに示すように、第１トレイ本体８５の右端部から下方に向かって突出しており、側面視略三角形状を有している。側板９０の下端縁は、前後方向に沿って延びている。
【０１１４】
底板９１は、図５Ｃに示すように、第１トレイ案内部８７の底面を形成しており、平面視において前後方向に延びる略矩形状を有している。また、底板９１は、側面視において、前上方および後下方を結ぶ方向に傾斜している。また、底板９１の前方部分における左端部は、平面視略矩形状に切り欠かれている。そして、底板９１の後方部分の左端部は、側板９０の右面における下端部に接続されている。また、底板９１の後端部における上面は、図５Ｂ示すように、第１トレイ本体８５の上面と左右方向に連続している。
【０１１５】
囲板９２は、図５Ｃに示すように、底板９１の上面における前方部分に配置されている。囲板９２は、後方に向かって開放される平面視略Ｕ字状を有しており、底板９１の前方部分の周縁から上方に向かって突出している。
【０１１６】
詳しくは、囲板９２は、左板１００と、右板１０１と、前板１０２とを有している。
【０１１７】
左板１００は、囲板９２の左端部である。左板１００は、図５Ａに示すように、前後方向に延びる側面視略矩形の板状を有しており、図７Ｂに示すように、底板９１の前方部分の左端部から上方に向かって延びている。
【０１１８】
右板１０１は、囲板９２の右端部であって、左板１００に対して右方に間隔を空けて配置されている。右板１０１は、図５Ａに示すように、前後方向に延びる側面視略矩形の板状を有しており、図７Ｂに示すように、底板９１の前方部分の右端部から上方に向かって延びている。また、右板１０１の上下方向の寸法は、左板１００の上下方向の寸法よりも大きい。
【０１１９】
前板１０２は、図５Ｃに示すように、囲板９２の前端部であって、左板１００と、右板１０１の下方部分との間に架設されている。前板１０２は、図５Ｂに示すように、底板９１の前端部から上方に向かって延びている。また、前板１０２の上下方向の寸法は、左板１００の上下方向の寸法と略同じである。
【０１２０】
傾斜板９３は、囲板９２の右板１０１の後端部から連続して、後方に向かうにつれて左方に傾斜するように延びている。また、傾斜板９３の下端部は、図５Ｂに示すように、底板９１の上面に接続されている。
【０１２１】
右係合部８８は、第１トレイ案内部８７の後方に隣接配置されている。右係合部８８は、下方に向かって開放される背面視略凹形状を有しており、前後方向に延びている。そして、右係合部８８の前端部における左端部は、傾斜板９３の後端部と連続しており、右係合部８８の左面における前方部分は、第１トレイ本体８５の右端縁における後端部に接続されている。
【０１２２】
左係合部８９は、図５Ａに示すように、第１トレイ本体８５に対して左方に隣接配置されている。左係合部８９は、下方に向かって開放される背面視略凹形状を有しており、前後方向に延びている。そして、左係合部８９の右面における前方部分は、第１トレイ本体８５の左端縁における後方部分に接続されている。
【０１２３】
そして、第１トレイ部６４は、図２および図１０に示すように、第１トレイ本体８５の前端縁が前突出壁７１Ａの後方に隣接し、第１トレイ本体８５の左右両端縁の前端部が左右両方の突出壁７１の左右方向内方に隣接するように、開口部６６内の前方部分に配置されている。つまり、第１トレイ部６４は、図２に示すように、上方から見て、トップカバー６３の開口部６６の前方周縁と、前後方向に隣接している。
【０１２４】
これによって、第１トレイ本体８５の前端縁と、トップカバー６３の開口部６６の前方周縁とは、左右方向に延びる隙間Ｃ１を画定している。
【０１２５】
また、第１トレイ本体８５の下面における前端部は、図７Ｂに示すように、複数の規制突起６８の上端部に接触している。そのため、図１に示すように、第１トレイ本体８５の前端部と、案内部本体７３とは、上下方向に間隔を空けて向かい合っている。
【０１２６】
また、図７Ｂに示すように、第１トレイ案内部８７は、右突出壁７１Ｃよりも右方に配置されており、右案内部７５の傾斜部８１の右端部に対して下方に配置されている。そして、底板９１の前方部分は、上下方向から見て、右案内部７５の傾斜部８１の右端部と重なるように、傾斜部８１の右端部に対して下方に間隔を空けて配置されている。また、囲板９２の左板１００は、傾斜部８１の右端縁よりも左方に配置され、傾斜部８１の右端部に対して下方に間隔を空けて配置されている。また、囲板９２の右板１０１は、傾斜部８１の右端縁よりも右方に配置され、右板１０１の上方部分は、左右方向から見て、傾斜部８１と重なるように、傾斜部８１の右端縁に対して右方に間隔を空けて配置されている。また、右板１０１の上端縁は、傾斜部８１の右端縁よりも上方に位置している。
【０１２７】
また、右係合部８８は、図１０に示すように、右突出壁７１Ｃよりも右方に配置され、左係合部８９は、左突出壁７１Ｂよりも左方に配置されている。
【０１２８】
また、図２に示すように、右突出壁７１Ｃの下端部、第１トレイ本体８５の右端部および左係合部８９の前左端部は、開口９４を画定している。開口９４は、第１トレイ案内部８７と排紙トレイ１３とを左右方向に連通している。
【０１２９】
第２トレイ部６５は、図２に示すように、上方から見て、開口部６６内における後方部分に配置されている。
【０１３０】
第２トレイ部６５は、図６Ａ、図６Ｂおよび図７Ａに示すように、第２トレイ本体１０５と、ローラ支持壁１１０と、案内部の一例としての第２トレイ案内部１０８と、係合突起１１３と、右係合壁１０６と、左係合壁１０７とを一体に有している。
【０１３１】
第２トレイ本体１０５は、図１に示すように、側面視略Ｌ字の板状を有しており、傾斜壁１１１と、鉛直壁１１２とを一体に有している。
【０１３２】
傾斜壁１１１は、第２トレイ本体１０５の前方部分である。傾斜壁１１１は、図６Ａに示すように、平面視において、左右方向に延びる略矩形の板状を有しており、側面視において、図１に示すように、前上方および後下方を結ぶ方向に延びている。
【０１３３】
傾斜壁１１１は、図６Ｂに示すように、その上面において、突条１０９を有している。突条１０９は、左右方向に間隔を隔てて複数、具体的には４つ並列配置されている。突条１０９は、前上方および後下方を結ぶ方向に延びる略杆状を有している。そして、突条１０９は、突条１０９の前端部が傾斜壁１１１の前端縁よりも前上方に突出するように、傾斜壁１１１の上面に接続されている。
【０１３４】
鉛直壁１１２は、第２トレイ本体１０５の後方部分であって、左右方向に延びる背面視略矩形の板状を有している。鉛直壁１１２は、図１に示すように、傾斜壁１１１の後端部から連続して、上方に向かって延びている。
【０１３５】
ローラ支持壁１１０は、図６Ａに示すように、鉛直壁１１２の上端部から連続して後方に向かって延びている。ローラ支持壁１１０は、左右方向に延びる平面視略矩形の板状を有している。そして、ローラ支持壁１１０は、図１に示すように、その上面において、排紙ローラ３２を回転可能に支持している。なお、図２、図３、図６Ａ、図６Ｂおよび図７Ａでは、説明の便宜上、排紙ローラ３２を省略している。
【０１３６】
第２トレイ案内部１０８は、図１に示すように、傾斜壁１１１の下面における前端部に配置されている。第２トレイ案内部１０８は、図７Ａに示すように、側面視略Ｌ字の板状を有しており、図１に示すように、傾斜壁１１１の前端部から連続して下方に向かって延びた後、屈曲して前下方に向かって延びている。
【０１３７】
係合突起１１３は、図７Ａに示すように、４つの受入部８６のそれぞれに対応して４つ備えられている。４つの係合突起１１３は、第２トレイ案内部１０８の上方部分の後面に配置されており、左右方向に互いに間隔を空けて配置されている。係合突起１１３は、平面視略矩形状を有しており、第２トレイ案内部１０８の上方部分の後面から後方に向かって突出している。
【０１３８】
右係合壁１０６は、図６Ｂに示すように、第２トレイ部６５の右端部であって、傾斜壁１１１の右端部から連続して、上方に向かって延びている。右係合壁１０６は、前方に向かう頂部を有する側面視略三角形の板状を有しており、右係合壁１０６の後端部は、鉛直壁１１２の右端部に接続されている。また、右係合壁１０６の上端縁は、前後方向に沿っており、側面視において、傾斜壁１１１の前端部から鉛直壁１１２の上端部まで延びている。
【０１３９】
また、右係合壁１０６は、右係合リブ１０３を一体に有している。右係合リブ１０３は、右係合壁１０６の上端部における右方部分から上方に向かって突出している。右係合リブ１０３は、後方に向かう頂部を有する側面視略三角形の板状を有しており、右係合リブ１０３の上端縁は、前後方向に沿って延びている。
【０１４０】
左係合壁１０７は、図６Ａに示すように、第２トレイ部６５の左端部であって、傾斜壁１１１の左端部から連続して、上方に向かって延びている。左係合壁１０７は、前方に向かう頂部を有する側面視略三角形の板状を有しており、左係合壁１０７の後端部は、鉛直壁１１２の左端部に接続されている。また、左係合壁１０７の上端縁は、前後方向に沿っており、側面視において、傾斜壁１１１の前端部から鉛直壁１１２の上端部まで延びている。
【０１４１】
また、左係合壁１０７は、左係合リブ１０４を一体に有している。左係合リブ１０４は、左係合壁１０７の上端部における左方部分から連続して上方に向かって延びている。左係合リブ１０４は、後方に向かう頂部を有する側面視略三角形の板状を有しており、左係合リブ１０４の上端縁は、前後方向に沿って延びている。
【０１４２】
そして、第２トレイ部６５は、図２、図５Ｂおよび図７Ａに示すように、係合突起１１３が対応する受入部８６に後方から挿入され、傾斜壁１１１の前端縁が、第１トレイ本体８５の後端縁の後方に隣接されるように、開口部６６内の後方部分に配置されている。つまり、第１トレイ部６４は、図１に示すように、第２トレイ部６５に対して、排出方向Ｘの下流に配置されている。なお、第２トレイ部６５の左右両端部は、第１フレーム４５および第２フレーム５５に支持されている。
【０１４３】
そして、図２に示すように、傾斜壁１１１の前端縁と第１トレイ本体８５の後端縁との隣接部分は、左右方向に延びる隙間Ｃ２を画定している。
【０１４４】
また、鉛直壁１１２の上端部は、図１に示すように、後突出壁７１Ｄの下端部に対して、下方に間隔を空けて配置されている。
【０１４５】
また、右係合リブ１０３は、図２、図５Ｂおよび図６Ｂに示すように、右係合部８８に下方から受け入れられており、左係合リブ１０４は、左係合部８９に下方から受け入れられている。そして、第１トレイ部６４と第２トレイ部６５とが、排紙トレイ１３を形成している。
３．駆動機構、制御基板およびファン
プリンタ１は、図１０に示すように、基板の一例としての制御基板１４１と、ファン１４２と、ギア機構１４０とを備えている。
【０１４６】
制御基板１４１およびファン１４２は、右側壁４０の収容空間Ａ１内に収容されている。制御基板１４１は、画像形成部４の動作を制御するように構成されている。制御基板１４１は、側面視略矩形状の板状を有しており、上下方向に延びている。制御基板１４１は、第１フレーム４５のプレート４７の右面に固定されている。
【０１４７】
ファン１４２は、本体ケーシング２内の空気を流動させるように構成されている。ファン１４２は、貫通口４９と通気口５１との左右方向の間に配置されており、第１フレーム４５のプレート４７の右面に固定されている。ファン１４２が駆動すると、第１エンクロージャー５０内の空気が、通気口５１を介して本体ケーシング２外に排出されるとともに、本体ケーシング２内の空気が、貫通口４９を介して、ファン１４２に吸引される。すると、図１に示すように、後述するダクト部１１５の下端部の近傍に位置する空気が、後述する貫通穴１２１および通過口１３４を下方から上方に向かって通過するように流動し、貫通口４９および通気口５１を介して、本体ケーシング２外に排出される。
【０１４８】
ギア機構１４０は、図１０に示すように、左側壁４４の収容空間Ａ２内に収容されている。ギア機構１４０は、画像形成部４に駆動力を伝達するように構成されている。ギア機構１４０は、複数のギアを有しており、第２フレーム５５のプレート５７の左面に支持されている。
４．液受ユニット
プリンタ１は、図１に示すように、液受ユニット１１４を備えている。
【０１４９】
液受ユニット１１４は、排紙トレイ１３の下方において、プロセスカートリッジ１５の
後上方かつ定着ユニット１７の前上方に配置されている。
【０１５０】
液受ユニット１１４は、図８Ａおよび図８Ｂに示すように、ダクトの一例としてのダクト部１１５と、受部材の一例としての液体受部１１６とを一体に有している。
【０１５１】
ダクト部１１５は、液受ユニット１１４の前方部分であって、第１ダクト壁１１７と、第２ダクト壁１１８と、第１連結部１１９と、第２連結部１２０とを有している。
【０１５２】
第１ダクト壁１１７は、ダクト部１１５の前端部であって、左右方向に延びる正面視略矩形の板状を有している。第２ダクト壁１１８は、第１ダクト壁１１７に対して前後方向に間隔を空けて向い合うように配置されている。第２ダクト壁１１８は、左右方向に延びる背面視略矩形状を有している。第２ダクト壁１１８の上下方向の寸法は、第１ダクト壁１１７の上下方向の寸法の略１／２である。そして、第２ダクト壁１１８の上端部は、第１ダクト壁１１７の上端部よりも下方に位置している。
【０１５３】
第１連結部１１９は、図８Ａおよび図９に示すように、第１ダクト壁１１７の下端部と、第２ダクト壁１１８の下端部とを連結している。第１連結部１１９は、図９に示すように、左右方向に延びる平面視略矩形の板状を有している。第１連結部１１９は、複数の貫通穴１２１を有している。複数の貫通穴１２１は、左右方向に互いに間隔を隔てて配置されている。貫通穴１２１は、平面視略矩形状を有しており、第１連結部１１９を上下方向に貫通されている。なお、複数の貫通穴１２１のうち、最も左方に位置する貫通穴１２１Ａは、後上方から見て、後述する液体排出口１３３と重なっている。
【０１５４】
第２連結部１２０は、図８Ｂに示すように、第１ダクト壁１１７の左端部と、第２ダクト壁１１８の左端部とを連結している。第２連結部１２０は、上下方向に延びる側面視略矩形の板状を有している。
【０１５５】
そして、第１ダクト壁１１７、第２ダクト壁１１８および第２連結部１２０は、通過口１３４を画定している。
【０１５６】
液体受部１１６は、第２ダクト壁１１８の上方に隣接されており、第１ダクト壁１１７の上方部分に対して後方に間隔を空けて配置されている。
【０１５７】
液体受部１１６は、上方に向かって開放される凹形状を有しており、左右方向に延びている。液体受部１１６は、第１壁の一例としての第１ガイド壁１２８と、第２壁の一例としての第２ガイド壁１２９と、受壁１２５と、閉鎖壁１３０と、第３壁の一例としての規制壁１３１と、第４壁の一例としての延長壁１３２とを一体に有している。
【０１５８】
第１ガイド壁１２８は、液体受部１１６の前端部である。第１ガイド壁１２８は、図１０に示すように、右方に向かうにつれて幅狭となる背面視略台形状の板状を有している。詳しくは、第１ガイド壁１２８の上端縁は、左上方および右下方を結ぶ方向に延びており、第１ガイド壁１２８の下端縁は、左下方および右上方を結ぶ方向に延びている。
【０１５９】
第２ガイド壁１２９は、図８Ａおよび図８Ｂに示すように、第１ガイド壁１２８に対して後方に間隔を空けて向かい合っている。第２ガイド壁１２９は、右方に向かうにつれて幅狭となる正面視略台形状の板状を有している。詳しくは、第２ガイド壁１２９の上端縁は、第１ガイド壁１２８の上端縁と同様の方向に延びており、第２ガイド壁１２９の下端縁は、第１ガイド壁１２８の下端縁と同様の方向に延びている。また、第２ガイド壁１２９の左右方向の寸法は、第１ガイド壁１２８の左右方向の寸法よりも大きく、第２ガイド壁１２９の上下方向の寸法は、第１ガイド壁１２８の上下方向の寸法よりも小さい。
【０１６０】
そして、第２ガイド壁１２９は、前後方向から見て、第２ガイド壁１２９の上端縁が第１ガイド壁１２８の上端縁とおおよそ一致するように配置されている。これにより、第２ガイド壁１２９の下端縁は、第１ガイド壁１２８の下端縁よりも上方に位置している。また、第２ガイド壁１２９の右端縁は、第１ガイド壁１２８の右端縁とおおよそ一致している。
【０１６１】
受壁１２５は、第１ガイド壁１２８の下端部と第２ガイド壁１２９の下端部との間に架設されている。
【０１６２】
受壁１２５は、図１に示すように、側面視略Ｌ字の板状を有しており、第１部分１２６と、第２部分１２７とを有している。第１部分１２６は、受壁１２５の後方部分であって、第２ガイド壁１２９の下端部から連続して、前方に向かうにつれて下方に傾斜している。つまり、第２ガイド壁１２９は、第１部分１２６の後端部から連続して上方に向かって延びている。
【０１６３】
第２部分１２７は、受壁１２５の前方部分であって、第２部分１２７の下端部から連続して前方に向かって延び、第１ガイド壁１２８の下端部に接続されている。つまり、第１ガイド壁１２８は、第２部分１２７の前端部から連続して上方に向かって延びている。また、第２部分１２７は、図１０に示すように、右上方および左下方を結ぶ方向に延びている。言い換えれば、第２部分１２７は、右方から左方に向かうにつれて下方に傾斜している。つまり、受壁１２５の少なくとも一部、具体的には、第２部分１２７は、第１フレーム４５側から第２フレーム５５側に向かうにつれて下方に傾斜している。
【０１６４】
閉鎖壁１３０は、図８Ａに示すように、第１ガイド壁１２８の右端部と第２ガイド壁１２９の右端部との間に架設されている。また、閉鎖壁１３０の下端部は、受壁１２５の右端部に接続されている。
【０１６５】
規制壁１３１は、図１０に示すように、液体受部１１６の左端部であって、背面視略クランクの板状を有している。規制壁１３１は、受壁１２５の左端部から上方に向かって延びた後、左方に向かって屈曲し、次いで、上方に向かって延びている。規制壁１３１の上方部分の前端部は、図８Ａおよび図８Ｂに示すように、第２連結部１２０の後端縁における上端部に接続されており、規制壁１３１の後端部は、第２ガイド壁１２９の左端部に接続されている。
【０１６６】
また、規制壁１３１の下方部分は、第１ガイド壁１２８の左端部に対して、左方に間隔を隔てて配置され、左右方向に向かい合っている。
【０１６７】
延長壁１３２は、図８Ｂおよび図９に示すように、第１ガイド壁１２８の左端部から連続して、左前方に向かって、第２ガイド壁１２９から離れるように突出している。延長壁１３２は、上下方向に延びる側面視略矩形の板状である。
【０１６８】
そして、第１ガイド壁１２８の左端部、規制壁１３１の下方部分、および、それらの間に位置する受壁１２５の左端部は、液体排出口１３３を画定している。液体排出口１３３は、上方に向かって開放される背面視略Ｕ字状を有している。液体排出口１３３は、液体受部１１６の内部空間と、通過口１３４とを前後方向に連通している。
【０１６９】
そして、液受ユニット１１４は、図１に示すように、液体受部１１６が隙間Ｃ２に対して下方に位置し、かつ、ダクト部１１５の下方部分がプロセスカートリッジ１５と定着ユニット１７との前後方向の間に位置するように、配置されている。
【０１７０】
これによって、受壁１２５は、第２トレイ案内部１０８に対して下方に間隔を空けて配置され、第２トレイ案内部１０８と上下方向に向かい合っている。また、第１ガイド壁１２８は、第２トレイ案内部１０８よりも前方に配置され、第２ガイド壁１２９は、第２トレイ案内部１０８よりも後方に配置されている。
【０１７１】
また、図４Ｂに示すように、ダクト部１１５の左端部は、左案内部７６の第２傾斜部７９の後端部の下方に配置され、第１ダクト壁１１７の左端部は、第２傾斜部７９の後端縁よりも前方、第２ダクト壁１１８の左端部は、第２傾斜部７９の後端縁より後方、第２連結部１２０は、第２傾斜部７９の左端縁よりも左方に配置されている。つまり、通過口１３４の左端部と、第２傾斜部７９の後端縁とは、上下方向から見て重なっている。
５．第１搬送ガイドおよび第２搬送ガイド
第１搬送ガイド３４は、図１に示すように、感光ドラム２０と転写ローラ２１との間を通過した後、加熱ローラ３０と加圧ローラ３１との間に向かう用紙Ｐの搬送をガイドする第１搬送部材１４３を有している。
【０１７２】
第１搬送部材１４３は、前後方向に延びており、第１搬送部材１４３の前方部分がプロセスカートリッジ１５の下方に位置し、第１搬送部材１４３の後方部分がダクト部１１５の下方に間隔を空けて位置している。また、第１搬送部材１４３は、図３に示すように、左右方向に延びる平面視略矩形の板状を有している。そして、第１搬送部材１４３の左右両端部のそれぞれは、第１フレーム４５のプレート４７および第２フレーム５５のプレート５７のそれぞれに固定されている。
【０１７３】
また、第１搬送部材１４３は、第１液体通過口１４５を有している。第１液体通過口１４５は、第１搬送部材１４３の後方部分に配置されており、上下方向に投影したときに、ダクト部１１５の通過口１３４と重なる位置に配置されている。第１液体通過口１４５は、図３に示すように、左右方向に延びる平面視略矩形状を有しており、第１搬送部材１４３を上下方向に貫通している。
【０１７４】
第２搬送ガイド３５は、図１に示すように、給紙トレイ１２の上方を後方から前方に向かって通過する用紙Ｐの搬送をガイドする第２搬送部材１４４を有している。第２搬送部材１４４は、第１搬送部材１４３に対して下方に間隔を隔てて配置され、かつ、給紙トレイ１２の上方に間隔を隔てて配置されている。また、第１搬送部材１４３と第２搬送部材１４４との上下方向の間は、再搬送パスＰ２の一部として画定されている。
【０１７５】
第２搬送部材１４４は、左右方向に延びる平面視略矩形の板状を有している。そして、第２搬送部材１４４の左右両端部のそれぞれは、第１フレーム４５のプレート４７および第２フレーム５５のプレート５７のそれぞれに固定されている。
【０１７６】
また、第２搬送部材１４４は、第２液体通過口１４６を有している。第２液体通過口１４６は、上下方向に投影したときに、第１液体通過口１４５と重なる位置に配置されている。第２液体通過口１４６は、左右方向に延びる平面視略矩形状を有しており、第２搬送部材１４４を上下方向に貫通している。
６．液体の誘導
（１）カバー案内部による液体の誘導
このようなプリンタ１において、ユーザが、図１および図２に示すように、誤って本体ケーシング２の上方から、水などの液体をこぼすと、上壁４３の上面に液体がかかる。
【０１７７】
すると、液体は、第１トレイ部６４の第１トレイ本体８５と、トップカバー６３の開口部６６の前方周縁との間の隙間Ｃ１に浸入する場合がある。
【０１７８】
この場合、図２に示すように、隙間Ｃ１の右方部分に浸入する液体Ｌ１は、隙間Ｃ１を介して、第１トレイ本体８５の前端部とトップカバー６３の前突出壁７１Ａとの間を通過した後、図４Ａおよび図４Ｂに示すように、右案内部７５の傾斜部８１の上面に到達する。すると、液体Ｌ１は、図７Ｂに示すように、傾斜部８１の傾斜に沿って、右下方に向かって流動し、切欠溝７２を通過する。そして、液体Ｌ１は、傾斜部８１の右端部まで到達すると、傾斜部８１の右端縁から、突部８２を伝って、第１トレイ案内部８７の底板９１の前方部分に向かって落下する。その後、液体Ｌ１は、図５Ｃに示すように、底板９１の傾斜により後下方に向かって流動し、図２に示すように、開口９４を介して、排紙トレイ１３内における第１トレイ本体８５の上面に到達する。
【０１７９】
また、隙間Ｃ１の左方部分に浸入する液体Ｌ２は、隙間Ｃ１を介して、第１トレイ本体８５の前端部とトップカバー６３の前突出壁７１Ａとの間を通過した後、図４Ａおよび図４Ｂに示すように、左案内部７６の第１傾斜部７８の上面に到達する。すると、液体Ｌ２は、図７Ｂに示すように、第１傾斜部７８の傾斜に沿って、左下方に向かって流動した後、前突出壁７１Ａおよび左突出壁７１Ｂにより流動方向を、図４Ｂに示すように、左下方から後下方に変更して、第２傾斜部７９の上面に到達する。そして、液体Ｌ２は、第２傾斜部７９の傾斜により、後下方に向かって流動する。その後、液体Ｌ２は、第２傾斜部７９の後端部まで到達すると、第２傾斜部７９から、ダクト部１１５の通過口１３４の左端部に向かって落下する。その後、液体Ｌ２は、第１連結部１１９に到達し、最も左方の貫通穴１２１Ａを通過する。
【０１８０】
また、図２に示すように、隙間Ｃ１の左右方向の略中央から浸入する液体Ｌ３は、隙間Ｃ１を介して、第１トレイ本体８５の前端部とトップカバー６３の前突出壁７１Ａとの間を通過した後、図４Ａおよび図４Ｂに示すように、中間部７７の上面に到達する。そして、液体Ｌ３は、中間部７７、前突出壁７１Ａおよび鍔部７４により、一旦、中間部７７上に貯留された後、液体Ｌ３の浸入量の増加に伴って、中間部７７から左右両方、つまり、右案内部７５および左案内部７６のそれぞれに流出する。
【０１８１】
以上によって、カバー案内部６７は、隙間Ｃ１に浸入する液体を、隙間Ｃ１から排出するように案内する。
（２）液体受部による液体の誘導
また、上壁４３の上面に液体がかかると、液体は、図１および図２に示すように、第１トレイ部６４の第１トレイ本体８５と、第２トレイ部６５の傾斜壁１１１との間の隙間Ｃ２に浸入する場合がある。
【０１８２】
隙間Ｃ２に浸入する液体Ｌ４は、図１に示すように、隙間Ｃ２を介して本体ケーシング２内に浸入した後、第２トレイ案内部１０８を伝って流下する。そして、液体Ｌ４は、第２トレイ案内部１０８の下端部まで伝った後、第２トレイ案内部１０８の下端部から受壁１２５の上面に向かって落下する。つまり、受壁１２５は、隙間Ｃ２から本体ケーシング２内に浸入する液体を受ける。次いで、受壁１２５に落下した液体Ｌ４は、受壁１２５の第１部分１２６の傾斜により前下方に向かって流動する。
【０１８３】
すると、液体Ｌ４は、図１０に示すように、第２部分１２７の上面に到達し、第２部分１２７の上面および第１ガイド壁１２８の前面に沿って、左下方に向かって流動する。そして、液体Ｌ４は、液体受部１１６内の左端部に到達すると、規制壁１３１および第２ガイド壁１２９により、流動方向を左下方から前方に変更され、液体排出口１３３から前方に排出される。これによって、液体Ｌ４は、図１に示すように、ダクト部１１５の通過口１３４に到達し、通過口１３４を通過するように流下する。その後、液体Ｌ４は、図９に示すように、第１連結部１１９に到達し、最も左方の貫通穴１２１Ａを通過する。
（３）給紙トレイへの流下
最も左方の貫通穴１２１Ａを通過する液体（液体Ｌ２および液体Ｌ４）は、最も左方の貫通穴１２１Ａを通過した後、第１搬送部材１４３の第１液体通過口１４５に向かって流下する。その後、液体は、第１液体通過口１４５を通過した後、第２搬送部材１４４の第２液体通過口１４６を通過して、給紙トレイ１２内に溜まる。
７．作用効果
（１）プリンタ１では、図１に示すように、本体ケーシング２内に浸入した液体を受ける液体受部１１６が、受壁１２５を有している。受壁１２５は、第１トレイ部６４と第２トレイ部６５との隣接部分である隙間Ｃ２に対して下方に配置されている。
【０１８４】
そのため、隙間Ｃ２を介して本体ケーシング２内に浸入する液体Ｌ４は、液体受部１１６の受壁１２５に受けられる。
【０１８５】
そして、受壁１２５に受けられた液体Ｌ４は、図１０に示すように、受壁１２５が第１フレーム４５側から第２フレーム５５側に向かうにつれて下方に傾斜しているので、制御基板１４１を支持する第１フレーム４５側から第２フレーム５５側に向かって、つまり制御基板１４１から離れるように、液体受部１１６に案内される。
【０１８６】
その結果、本体ケーシング２の上壁４３に液体がかかった場合でも、制御基板１４１が濡れることを抑制できる。
（２）排紙トレイ１３が、図１に示すように、第１トレイ部６４と第２トレイ部６５とにより形成されるので、排紙トレイ１３は本体ケーシング２の上面に配置される。
【０１８７】
そのため、排紙ローラ３２から排出され、排紙トレイ１３に支持される用紙Ｐに対して容易にアクセスすることができる。
【０１８８】
また、隙間Ｃ２および液体受部１１６のそれぞれが、図２および図１０に示すように、左右方向に延びているので、液体受部１１６は、隙間Ｃ２を介して本体ケーシング２内に浸入する液体Ｌ４を確実に受けることができる。
（３）第２トレイ部６５は、図１に示すように、第２トレイ案内部１０８を有している。第２トレイ案内部１０８は、隙間Ｃ２を介して本体ケーシング２内に浸入する液体Ｌ４を液体受部１１６に向けて案内する。そのため、隙間Ｃ２を介して本体ケーシング２内に浸入する液体Ｌ４を、液体受部１１６に確実に受けさせることができる。
（４）受壁１２５は、図１に示すように、第２トレイ案内部１０８に対して下方に間隔を空けて配置され、第２トレイ案内部１０８と上下方向に向かい合っている。そのため、受壁１２５は、第２トレイ案内部１０８から落下する液体Ｌ４を確実に受けることができる。
【０１８９】
そして、液体受部１１６は、受壁１２５、第１ガイド壁１２８および第２ガイド壁１２９を有しており、左右方向から見て第２トレイ案内部１０８に向かって開放される凹形状を有している。そのため、受壁１２５に受けられた液体Ｌ４を、第１フレーム４５側から第２フレーム５５側に向かって確実に案内できる。
（５）受壁１２５は、図１に示すように、第２ガイド壁１２９から第１ガイド壁１２８側に向かうにつれて下方に傾斜する第１部分１２６を有している。そのため、受壁１２５に受けられた液体Ｌ４は、第１部分１２６の傾斜により、第１ガイド壁１２８側の第２部分１２７に向かって流動する。そして、液体Ｌ４は、図１０に示すように、第２部分１２７および第１ガイド壁１２８に沿って、第２フレーム５５側すなわち左方に向かって流動する。その結果、液体受部１１６に案内される液体Ｌ４を、第２フレーム５５側に、安定して案内することができる。
（６）第１ガイド壁１２８の左端部と、規制壁１３１と、それらの間に位置する受壁１２５とは、図１０に示すように、液体排出口１３３を画定している。そのため、液体排出口１３３は、液体受部１１６において左端部、すなわち、制御基板１４１から最も離れて配置されている。
【０１９０】
その結果、液体受部１１６に案内される液体Ｌ４は、液体受部１１６において最も制御基板１４１から離れた位置まで案内された後、液体排出口１３３を介して液体受部１１６から排出される。よって、液体受部１１６から排出される液体が、制御基板１４１にかかることを確実に抑制することができる。
（７）延長壁１３２は、図８Ａおよび図８Ｂに示すように、第１ガイド壁１２８の左端部から連続して、第２ガイド壁１２９から離れるように前方に延びている。つまり、延長壁１３２は、液体排出口１３３の右方の周縁から、液体の排出方向に延びている。
【０１９１】
そのため、延長壁１３２は、液体排出口１３３から排出される液体が、右方、すなわち制御基板１４１側に向かうことを抑制できる。その結果、液体受部１１６から排出される液体が、制御基板１４１にかかることをより一層確実に抑制できる。
（８）液受ユニット１１４は、図１に示すように、ダクト部１１５を備えている。そのため、ダクト部１１５を介して、本体ケーシング２内の空気を本体ケーシング２外に排気することができる。その結果、プリンタ１を効率的に放熱できる。
【０１９２】
また、液受ユニット１１４は、ダクト部１１５と液体受部１１６とを一体に有している。そのため、ダクト部１１５と液体受部１１６とが別部材である場合と比較して、部品点数の低減を図ることができる。
（９）ダクト部１１５は、図１に示すように、プロセスカートリッジ１５と定着ユニット１７との前後方向の間に配置されている。そのため、プロセスカートリッジ１５および定着ユニット１７のそれぞれを効率的に冷却することができる。
【０１９３】
また、ダクト部１１５は、液体排出口１３３から排出された液体を通過させる通過口１３４を有しているので、液体排出口１３３から排出された液体は、プロセスカートリッジ１５と定着ユニット１７との間を、ダクト部１１５の通過口１３４を介して流下する。
【０１９４】
そのため、液体排出口１３３から排出された液体が、プロセスカートリッジ１５および定着ユニット１７のそれぞれにかかることを抑制でき、プロセスカートリッジ１５および定着ユニット１７が故障することを抑制できる。
（１０）第１トレイ部６４および第２トレイ部６５のそれぞれは、図２に示すように、開口部６６を介して、上方から露出されている。そのため、プリンタ１の上方から液体がかかった場合には、トップカバー６３の開口部６６を介して、第１トレイ部６４および第２トレイ部６５に液体がかかる。すると、液体は、図１０に示すように、隙間Ｃ１を介して液体受部１１６に受けられ、制御基板１４１から離れるように案内される。
【０１９５】
つまり、プリンタ１に液体がかかったときに、本体ケーシング２内に浸入する液体を液体受部１１６に確実に受けさせることができる。
（１１）カバー案内部６７は、図４Ａおよび図４Ｂに示すように、第１トレイ部６４と開口部６６の周縁との隣接部分である隙間Ｃ１に浸入する液体を、隙間Ｃ１から排出するように案内する。そのため、隙間Ｃ１から、液体が本体ケーシング２内に浸入することを抑制できる。
（１２）右案内部７５は、図４Ａおよび図４Ｂに示すように、隙間Ｃ１に浸入する液体Ｌ１を右方に向かって案内し、左案内部７６の第１傾斜部７８が、隙間Ｃ１に浸入する液体Ｌ２を左方に向かって案内する。
【０１９６】
そのため、カバー案内部６７が左右方向のいずれか一方向にのみ、液体を案内する構成と比較して、隙間Ｃ１に浸入する液体を効率よく排出することができる。
（１３）制御基板１４１に対して相対的に近い右案内部７５は、図２、図４Ａおよび図４Ｂに示すように、隙間Ｃ１に浸入する液体Ｌ１を第１トレイ部６４上に向けて案内する。そして、第１トレイ部６４上に案内された液体は、図１０に示すように、隙間Ｃ２を介して本体ケーシング２内に浸入し、液体受部１１６により制御基板１４１から離れるように案内された後、液体排出口１３３からダクト部１１５の通過口１３４に排出される。
【０１９７】
一方、制御基板１４１に対して相対的に遠い左案内部７６は、図４Ｂに示すように、隙間Ｃ１に浸入する液体Ｌ２をダクト部１１５の通過口１３４に向けて案内する。
【０１９８】
つまり、右案内部７５および左案内部７６のそれぞれに案内される液体は、制御基板１４１から離れた位置で、ダクト部１１５の通過口１３４に排出される。そのため、制御基板１４１が、隙間Ｃ１に浸入する液体により濡れることを確実に抑制できる。
（１４）カバー案内部６７は、図４Ａおよび図４Ｂに示すように、中間部７７を有している。そのため、隙間Ｃ１に浸入する液体の量が増加しても、液体は中間部７７に貯留される。その結果、隙間Ｃ１に浸入する液体が、本体ケーシング２内に浸入することを抑制することができる。
【符号の説明】
【０１９９】
１      プリンタ
２      本体ケーシング
４      画像形成部
１５    プロセスカートリッジ
１７    定着ユニット
３２    排紙ローラ
４３    上壁
４５    第１フレーム
５５    第２フレーム
６３    トップカバー
６６    開口部
６７    カバー案内部
７５    右案内部
７６    左案内部
７７    中間部
１０８  第２トレイ案内部
１１５  ダクト部
１１６  液体受部
１２５  受壁
１２６  第１部分
１２７  第２部分
１２８  第１ガイド壁
１２９  第２ガイド壁
１３１  規制壁
１３３  液体排出口
１３４  通過口
１４１  制御基板
Ｐ      用紙
Ｘ      排出方向
Ｃ１    隙間
Ｃ２    隙間
【図１】
2015096910.tif 000003
【図２】
2015096910.tif 000004
【図３】
2015096910.tif 000005
【図４】
2015096910.tif 000006
【図５】
2015096910.tif 000007
【図６】
2015096910.tif 000008
【図７】
2015096910.tif 000009
【図８】
2015096910.tif 000010
【図９】
2015096910.tif 000011
【図１０】
2015096910.tif 000012